Podtech/llm-jp-corpus-v4-ja_patent huggingface dataset:
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
皮膚検出デバイスであって、
シーンの熱センサデータを取得する熱センサ入力と、
前記シーンの光センサデータを取得する光センサ入力と、
前記取得された熱センサデータと前記取得された光センサデータとを分析し、前記分析に基づき前記シーンにおける皮膚領域を検出する評価ユニットとを有し、
前記評価ユニットが、
所定の範囲のデータ値を持つ前記熱センサデータにおける第１の空間領域を選択し、
所定の範囲のデータ値を持つ前記光センサデータにおける第２の空間領域を選択し、
フォトプレチスモグラフィＰＰＧ信号を前記光センサデータから決定し、最も高いＰＰＧ信号強度及び／又は最も強い脈動性を持つ前記光センサデータにおける第３及び／又は第４の空間領域を選択することにより、第３及び／又は第４の空間領域を選択し、並びに
前記第１及び第２の空間領域を前記第３及び／又は第４の空間領域と相関させて皮膚領域を検出するよう構成される、皮膚検出デバイス。
【請求項２】
前記評価ユニットが、人間の皮膚の常温の範囲のデータ値を持つ前記熱センサデータにおける第１の空間領域を選択し、皮膚に特有の範囲のデータ値を持つ前記光センサデータにおける第２の空間領域を選択するよう構成される、請求項１に記載のデバイス。
【請求項３】
画像のシーケンスにおいて検出された皮膚領域からの画像情報に基づき、前記シーンにおける対象のバイタルサインを検出するバイタルサイン検出器を更に有する、請求項１に記載のデバイス。
【請求項４】
前記評価ユニットが、前記分析の前に、前記取得された熱センサデータと前記取得された光センサデータとを空間的に整列させるよう構成される、請求項１に記載のデバイス。
【請求項５】
前記評価ユニットが、隣接画素のクロミナンス及び／又は輝度値の最も高い空間的均一性を持つ前記光センサデータにおける第５の空間領域を選択し、かつ前記第１及び第２の空間領域、並びに前記第３及び／又は第４の空間領域と前記第５の空間領域とを相関させて皮膚領域を検出するよう構成される、請求項１に記載のデバイス。
【請求項６】
皮膚検出システムであって、
シーンの熱センサデータを取得する熱センサと、
前記シーンの光センサデータを取得する光センサと、
前記取得された熱センサデータ及び前記取得された光センサデータに基づき、前記シーンにおける皮膚を検出する請求項１に記載のデバイスとを有する、システム。
【請求項７】
前記熱センサが、長波赤外線スペクトルにおける熱画像を取得する長波カメラユニットを有する、請求項６に記載のシステム。
【請求項８】
前記光センサが、可視光及び／又は赤外光スペクトルにおける画像を取得する撮像ユニットを有する、請求項６に記載のシステム。
【請求項９】
前記熱センサと前記光センサが実質的に同じ光路を持つよう構成される、請求項６に記載のシステム。
【請求項１０】
皮膚検出のための方法において、
シーンの熱センサデータを取得するステップと、
前記シーンの光センサデータを取得するステップと、
所定の範囲のデータ値を持つ前記熱センサデータにおける第１の空間領域を選択し、
所定の範囲のデータ値を持つ前記光センサデータにおける第２の空間領域を選択し、
フォトプレチスモグラフィＰＰＧ信号を前記光センサデータから決定し、最も高いＰＰＧ信号強度及び／又は最も強い脈動性を持つ前記光センサデータにおける第３及び／又は第４の空間領域を選択することにより、第３及び／又は第４の空間領域を選択することで、前記取得された熱センサデータと前記取得された光センサデータとを分析するステップと、
前記第１及び第２の空間領域を前記第３及び／又は第４の空間領域と相関させることにより、前記分析に基づき、前記シーンにおける皮膚領域を検出するステップとを有する、方法。
【請求項１１】
コンピュータにより実行されるとき、請求項１０に記載の方法のステップをコンピュータに実行させるためのコンピュータプログラム。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
電気分解システムによる二酸化炭素利用のための還元方法であって、
二酸化炭素（ＣＯ２）が陰極室（ＫＲ）を通過して陰極（Ｋ）と接触させられ、
二酸化炭素（ＣＯ２）の少なくとも１つの炭化水素化合物への又は一酸化炭素（ＣＯ）への還元反応の触媒反応を可能にする少なくとも１つの第一の材料が陰極室（ＫＲ）に供給されるか又は導入され、
前記陰極（Ｋ）から前記第一の材料への電荷移動を促進することによって前記還元反応の共触媒反応を可能にする、前記第一の材料とは異なる、少なくとも１つの第二の材料が、電解質又は反応物／電解質混合物と共に、前記陰極室に導入されるか又は個別に秤り込まれ、
前記第二及び第一の材料が前駆体として、その場で、互いに反応し、前記陰極室（ＫＲ）内でヒドリド−金属錯体又は金属−カルボニルヒドリドを形成する還元方法。
【請求項２】
前記第二の材料がプロトン性溶媒である請求項１に記載の還元方法。
【請求項３】
前記第二の材料が水、エタノール又はアルコールである請求項１又は２のいずれか１項に記載の還元方法。
【請求項４】
前記第一の材料が錯体である請求項１〜３のいずれか１項に記載の還元方法。
【請求項５】
前記第一の材料が遷移金属錯体である請求項１〜４のいずれか１項に記載の還元方法。
【請求項６】
前記第一の材料が金属カルボニル又は金属カルボニレートである請求項１〜３のいずれか１項に記載の還元方法。
【請求項７】
前記第一の材料及び前記第二の材料が水性環境で安定である請求項１〜６のいずれか１項に記載の還元方法。
【請求項８】
陽極室（ＡＲ）内に陽極（Ａ）を有し、陰極室（ＫＲ）内に陰極（Ｋ）を有する電気分解セル（１）を含有してなる電気分解システムであって、
前記陰極（Ｋ）が電荷移動層の機能及び表面保護層の機能が統合されている層を有し、
前記陰極室（ＫＲ）が二酸化炭素（ＣＯ２）を収容し、それを陰極（Ｋ）と接触させるように設計されており、
前記陰極室（ＫＲ）が二酸化炭素（ＣＯ２）の少なくとも１つの炭化水素化合物又は一酸化炭素（ＣＯ）への還元反応の触媒反応を可能にする第一の材料を有しており、
前記陰極室（ＫＲ）が少なくとも１つの第二の材料を、それを通して、前記陰極室（ＫＲ）へ導入することができる計量ユニット付きの材料入口を有し、ここで、前記第二の材料が前記第一の材料とは異なるものであり、前記陰極（Ｋ）から前記第一の材料への電荷移動を促進することによって前記還元反応の共触媒反応を可能にする材料である
電気分解システム。
【請求項９】
前記陰極表面（Ｋ）が前記第一の材料への電荷移動を可能にするエネルギーレベルを有する仕事関数を有する請求項８に記載の二酸化炭素利用のための電気分解システム。
【請求項１０】
前記陰極（Ｋ）が銅、酸化銅、二酸化チタン又は他の金属酸化物半導体材料を含有してなる請求項８又は９に記載の二酸化炭素利用のための電気分解システム。
【請求項１１】
前記陰極（Ｋ）が前記第一の材料への電荷移動を可能にするエネルギーレベルの仕事関数を有する表面を有する電荷移動層を有する請求項８〜１０のいずれか１項に記載の二酸化炭素利用のための電気分解システム。
【請求項１２】
前記陰極（Ｋ）が光電陰極である請求項８〜１１のいずれか１項に記載の光電化学的二酸化炭素利用のための電気分解システム。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
秘匿された通信要素を有するシステムであって、
アンテナ、無線機、及びスモールセルアンテナのうちの少なくとも１つを含む通信要素と、
前記通信要素を少なくとも部分的に囲み、前記通信要素を視界から秘匿する形状に形成された非金属多層ポリマー光学フィルムと、を備え、
前記多層ポリマー光学フィルムは、２つの交互に並ぶポリマー層を含む多層光学積層体を備えるコア層を含み、
前記多層ポリマー光学フィルムは、前記システムを見ている観察者と前記コア層との間に配置されたハードコートを更に含み、
前記ハードコートは１種以上のＵＶ吸収剤を含み、
前記多層ポリマー光学フィルムは、前記システムを見ている観察者に対して前記システムの周囲の画像を実質的に反射するものであり、
前記多層ポリマー光学フィルムは、前記通信要素が受信及び／又は送信する帯域内の無線周波数について９０％を超える透過率を有する、システム。
【請求項２】
第１ポリマー層は複屈折材料を含み、第２ポリマー層は、フルオロポリマーと混合されたアクリル系ポリマー又はアクリル含有コポリマーのうちの１つを含む、請求項１に記載のシステム。
【請求項３】
前記多層ポリマー光学フィルムは、２つの交互に並ぶポリマー層を含む多層光学積層体を備えるコア層を含み、前記多層ポリマー光学フィルムによって反射される６６０ｎｍにおける光の鏡面反射率は、その最初の暴露からＩＳＯ  ４８９２−２：２０１３  Ｃｙｃｌｅ  ４の耐候試験手順の１２，７５０時間後までに、１０％未満だけ減少する、請求項１又は２に記載のシステム。
【請求項４】
前記多層ポリマー光学フィルムのｂ＊黄色度指数は、その最初の暴露からＩＳＯ  ４８９２−２：２０１３  Ｃｙｃｌｅ  ４の耐候試験手順の１２，７５０時間後までに、３未満だけ変化する、請求項１〜３のいずれか一項に記載のシステム。
【請求項５】
前記コア層と、前記多層ポリマー光学フィルムが接着されてその形状に形成される表面と、の間に配置された接着剤層を更に備える、請求項１〜４のいずれか一項に記載のシステム。
【請求項６】
前記接着剤層は不均一な厚さを有する、請求項５に記載のシステム。
【請求項７】
前記不均一な接着剤層は、エアブリードチャネル及びスタンドオフを更に含む、請求項６に記載のシステム。
【請求項８】
前記ハードコートは、拡散反射を提供するために前記ハードコートに添加された微粒子を更に含む、請求項１に記載のシステム。
【請求項９】
拡散反射を提供するために前記ハードコートの上又は下に配設された微粒子コーティングを更に含む、請求項１に記載のシステム。
【請求項１０】
前記多層ポリマー光学フィルムは、低振幅の巨視的なパターンを有する全体構造を備える、請求項１〜９のいずれか一項に記載のシステム。
【請求項１１】
前記システムは、前記多層ポリマー光学フィルムと前記通信要素との間に配置された可視光吸収性基材を更に含む、請求項１〜１０のいずれか一項に記載のシステム。
【請求項１２】
３８０〜１５００ｎｍの波長範囲にわたる垂直入射における前記多層ポリマー光学フィルムの各延伸方向に沿った平均反射率が５０％を超え９０％未満である、請求項１１に記載のシステム。
【請求項１３】
前記多層ポリマー光学フィルムの上に形成されたテクスチャード加工された層を更に含む、請求項１〜１２のいずれか一項に記載のシステム。
【請求項１４】
前記多層ポリマー光学フィルムは複数の間隙を含み、間隙パターンは、約７０：３０以下の、閉領域と開領域の比を備える、請求項１〜１３のいずれか一項に記載のシステム。
【請求項１５】
屋外通信要素を秘匿する方法であって、
前記屋外通信要素を反射性の多層光学フィルムで少なくとも部分的に囲み、前記多層光学フィルムが前記屋外通信要素を観察者から秘匿し、かつ、周囲光を観察者に向けて反射することを含み、
前記多層光学フィルムは、２つの交互に並ぶポリマー層を含む多層光学積層体を備えるコア層と、ＵＶ安定保護層と、を含む、方法。
【手続補正２】
【補正対象書類名】明細書
【補正対象項目名】０００４
【補正方法】変更
【補正の内容】
【０００４】
［概要］
一態様では、本明細書は秘匿された通信要素を有するシステムに関するものである。本システムは、通信要素と、通信要素を少なくとも部分的に囲み、視界からそれを秘匿する形状に形成された多層ポリマー光学フィルムと、を備えている。この多層ポリマー光学フィルムは、２つの交互に並ぶポリマー層を含む多層光学積層体を備えるコア層を有し、第１ポリマー層は複屈折材料を含み、第２ポリマー層はフルオロポリマーと混合されたアクリル系ポリマー又はアクリル含有コポリマーのうちの１つを含む。
【手続補正３】
【補正対象書類名】明細書
【補正対象項目名】００３５
【補正方法】変更
【補正の内容】
【００３５】
本開示の外層として有用な例示的なポリマーは、ポリエチレンテレフタレート（ＰＥＴ）である。別の有用なポリマーは、ポリエチレンナフタレート（ＰＥＮ）である。一実施形態では、第２の外層の１種以上のポリエステルは、１００％ＰＥＴから製造される。
【手続補正書】
【提出日】平成30年6月13日(2018.6.13)
【手続補正１】
【補正対象書類名】特許請求の範囲
【補正対象項目名】全文
【補正方法】変更
【補正の内容】
【特許請求の範囲】
【請求項１】
管腔内処置において組織を移動させるためのリトラクタであって、前記リトラクタは、外側部材と、近位位置と遠位位置との間の移動のために前記外側部材内に摺動可能に配置された内側部材と、花弁状構造を形成する、前記内側部材の遠位部分に位置する複数の閉鎖したループとを備え、前記ループは、前記内側部材が近位位置にあるときには、前記外側部材内の折り畳み位置に配置され、かつ前記内側部材が遠位位置に移動されたときに、前記外側部材から露出されると、拡張位置に移動可能であり、前記拡張位置において、前記ループは異なる半径方向に延在し、前記ループの半径方向における拡張の程度は、前記外側部材内における前記内側部材の遠位方向の前進の程度によって制御される、リトラクタ。
【請求項２】
前記内側部材を前記外側部材内の適所に維持するための保持機構をさらに備える、請求項１に記載のリトラクタ。
【請求項３】
前記保持機構は回転部材および締付部材を備え、前記締付部材は前記内側部材と係合可能であり、前記回転部材の回転は前記締付部材に力を付与し、前記締付部材は前記内側部材上に締付力を付与して前記内側部材を適所に維持する、請求項２に記載のリトラクタ。
【請求項４】
前記保持機構は、突起と溝との係合を含む、請求項２に記載のリトラクタ。
【請求項５】
前記保持機構はねじ山を備え、ねじ山付きノブの回転は、前記リトラクタのループの展開の程度を制御するために、前記内側部材の漸進的な前進を提供する、請求項２に記載のリトラクタ。
【請求項６】
前記ループは、前記拡張位置において記憶位置を有する形状記憶材料から構成されている、請求項１乃至５のいずれか１項に記載のリトラクタ。
【請求項７】
前記ループは、前記ループの十分な部分が前記外側部材内から露出されたときに、力によって完全拡張位置に跳ね出るように構成されている、請求項１乃至６のいずれか１項に記載のリトラクタ。
【請求項８】
前記ループの１つ以上は柔軟な材料で覆われている、請求項１乃至７のいずれか１項に記載のリトラクタ。
【請求項９】
前記内側部材の近位方向の移動を制限する第１停止具をさらに備える、請求項１乃至８のいずれか１項に記載のリトラクタ。
【請求項１０】
前記内側部材の遠位方向の移動を制限する第２停止具をさらに備える、請求項１乃至９のいずれか１項に記載のリトラクタ。
【請求項１１】
患者の体内管腔内の作業空間内において低侵襲性管腔内処置を実施するためのシステムであって、前記システムは、組織リトラクタと、内壁および外壁を有し、柔軟な内視鏡を受容するように構成され、かつそのような寸法に形成された軟性カテーテルと、前記カテーテル内に摺動可能に配置された第１可撓性ガイドとを備え、前記カテーテルは前記カテーテルの遠位部分に配置された作業空間拡張システムをさらに有し、前記作業空間拡張システムは、体内において前記作業空間を拡張するために、非拡張挿入位置から拡張された領域を形成する拡張位置に移動可能であり、第１可撓性ガイドの遠位部分は、前記拡張された領域内において角度をなした位置に移動可能であり、前記組織リトラクタは、外側部材、内側部材、および前記内側部材の遠位部分に位置する複数のループを有し、前記複数のループは、前記外側部材内の折り畳み位置に配置され、かつ前記外側部材から露出されたときに前記作業空間内において異なる方向に放射状に延びる拡張位置に移動可能である、システム。
【請求項１２】
前記システムは、前記カテーテル内に摺動可能に配置された第２可撓性ガイドをさらに備え、第２可撓性ガイドは、内部における軸線方向の移動のために器具を受容するように構成され、かつそのような寸法に形成されており、第２可撓性ガイドは、長手軸線と、第２可撓性ガイドの前記長手軸線に対して角度をなした位置に移動可能な遠位部分とを有する、請求項１１に記載のシステム。
【請求項１３】
前記カテーテルは、前記作業空間拡張システムのための覆いをさらに備え、前記覆いは体組織を受容するための開口を有する、請求項１１または１２に記載のシステム。
【請求項１４】
前記組織リトラクタは、第１可撓性ガイド内に挿入可能である、請求項１１乃至１３のいずれか１項に記載のシステム。
【請求項１５】
前記組織リトラクタは、前記カテーテル内の管腔を介して挿入可能である、請求項１１乃至１３のいずれか１項に記載のシステム。
【請求項１６】
前記作業空間拡張システムは複数の可撓性要素を備え、前記複数の可撓性要素は、折り畳み挿入位置から、前記軟性カテーテルの長手軸線から外側に離れて延びる拡張位置に移動可能である、請求項１１乃至１５のいずれか１項に記載のシステム。
【請求項１７】
前記軟性カテーテルの近位領域に配置され、かつ前記作業空間拡張システムの複数の可撓性要素を前記折り畳み位置と拡張位置との間で移動させるように、前記作業空間拡張システムに作動可能に接続されているアクチュエータをさらに備える、請求項１６に記載のシステム。
【請求項１８】
前記内側部材の位置を維持するための保持機構をさらに備える、請求項１１乃至１７のいずれか１項に記載のシステム。
【請求項１９】
前記ループは、前記拡張位置において記憶位置を有する形状記憶材料から構成されている、請求項１１乃至１８のいずれか１項に記載のシステム。
【請求項２０】
前記ループは、前記ループの十分な部分が前記外側部材内から露出されたときに、力によって完全拡張位置に跳ね出るように構成されている、請求項１１乃至１９のいずれか１項に記載のシステム。
【請求項２１】
前記ループのうちの１つ以上は、柔軟な材料で覆われている、請求項１１乃至２０のいずれか１項に記載のシステム。
【請求項２２】
前記ループは花弁状構造を形成する閉鎖したループである、請求項１１乃至２１のいずれか１項に記載のシステム。
【請求項２３】
第１可撓性ガイドは予め曲げられた角度をなした位置を有し、かつ前記カテーテルの遠位に配置されると、その予め曲げられた位置へ戻る、請求項１１乃至２２のいずれか１項に記載のシステム。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
個体の１つ又は複数のナトリウムチャネル関連疾患又は障害の治療に使用するための、以下の構造（１）：
【化１】
2017537113.tif 000001
（式中、Ｒは、水素、アルキル、アルケニル、アルコキシ、ハロ、ニトロ、シアノ、ケト、アミノ、カルボキシレート、置換若しくは無置換フェニル、Ｒを有する基と側面を共有する隣接する環、又はそれらの組合せを含む群から選択され、前記Ｒを有する基が、好ましくは、一、二、又は三置換体であり、ロジウム触媒及びロジウム誘導体が化合物を含む混合物から実質的に除去されている）を有する化合物、そのジアステレオマー、エナンチオマー、ラセミ混合物、塩又はそれらの組合せ。
【請求項２】
前記化合物が、スレオジアステレオマー、エリスロジアステレオマー又はスレオジアステレオマー及びエリスロジアステレオマーの混合物である、請求項１に記載の化合物。
【請求項３】
Ｒが、
（ａ）水素、ハロゲン、置換若しくは無置換フェニル、及びＲを有する基と側面を共有する隣接する環からなる群から選択される、１つ又は複数の置換基
（ｂ）３位及び４位の塩素置換基
（ｃ）ｐ−ブロモ
（ｄ）ｐ−クロロ
（ｅ）ｐ−２−ナフチル又は
（ｆ）無置換のｐ−フェニル
を含んでいてもよい、請求項１又は２に記載の化合物。
【請求項４】
前記化合物が、以下の構造（２）：
【化２】
2017537113.tif 000002
を有する、
前記化合物が、以下の構造（３）：
【化３】
2017537113.tif 000003
を有する、又は、
前記化合物が、構造（２）及び（３）の混合物を含む、請求項３に記載の化合物。
【請求項５】
前記化合物が、インビトロでナトリウムチャネルコンダクタンスを阻害することができ、好ましくは、前記ナトリウムチャネルが、電位開口型ナトリウムチャネルである、請求項１〜４のいずれか一項に記載の化合物。
【請求項６】
多動に関連する障害、筋肉の障害、膀胱の障害又は免疫系の障害からなる群から選択される１つ又は複数のナトリウムチャネル関連疾患又は障害の治療に使用するための、請求項１〜４のいずれか一項に記載の化合物。
【請求項７】
前記１つ又は複数のナトリウムチャネル関連疾患又は障害が、自閉症スペクトル障害（ＡＳＤ）又は注意欠陥多動性障害（ＡＤＨＤ）である、請求項６に記載の化合物。
【請求項８】
前記１つ又は複数のナトリウムチャネル関連疾患又は障害が、気管支けいれん、食道けいれん又は過敏性腸症候群（ＩＢＳ）である、請求項７に記載の化合物。
【請求項９】
前記１つ又は複数のナトリウムチャネル関連疾患又は障害が、尿失禁である、請求項７に記載の化合物。
【請求項１０】
前記１つ又は複数のナトリウムチャネル関連疾患又は障害が、てんかん、片頭痛又は多発性硬化症である、請求項７に記載の化合物。
【請求項１１】
前記１つ又は複数のナトリウムチャネル関連疾患又は障害が、癌である、請求項７に記載の化合物。
【請求項１２】
前記使用が、前記１つ又は複数のナトリウムチャネル関連疾患又は障害の１つ又は複数の症状を軽減するステップをさらに含み、前記症状が、疼痛、けいれん、及び炎症を含む、請求項７〜１１のいずれか一項に記載の化合物。
【請求項１３】
個体の１つ又は複数のナトリウムチャネル関連疾患又は障害の治療に使用するための、請求項１〜４のいずれか一項に記載の化合物、及び薬学的に許容可能な担体を含む組成物。
【請求項１４】
以下の構造（１）：
【化４】
2017537113.tif 000004
（式中、Ｒは、水素、アルキル、アルケニル、アルコキシ、ハロ、ニトロ、シアノ、ケト、アミノ、カルボキシレート、置換若しくは無置換フェニル、Ｒを有する基と側面を共有する隣接する環、又はそれらの組合せを含む群から選択される）を有する化合物の誘導体を調製及び単離するための方法であって、
ａ．非キラルロジウム触媒の存在下で、アリールジアゾアセテートを、除去可能な保護基を有するテトラヒドロピリジンと反応させて、保護基を含む第１の誘導体の混合物を得るステップ、
ｂ．前記第１の混合物から保護基を除去して、第２の誘導体の混合物を得るステップ、並びに
ｃ．前記第２の混合物を処理して、前記化合物のスレオ及びエリスロジアステレオマーを精製及び単離するステップであって、好ましくは前記非キラルロジウム触媒及び任意のロジウム誘導体を実質的に除去することで精製及び単離するステップ
を含む方法。
【請求項１５】
前記第２の混合物の前記処理が、カラムクロマトグラフィーによる、請求項１４に記載の方法。
【請求項１６】
前記化合物のエリスロジアステレオマーを処理して前記化合物のエリスロエナンチオマーを得る、又は、前記化合物のスレオジアステレオマーを処理して前記化合物のスレオジアステレオマーを得るステップをさらに含む、請求項１４又は１５に記載の方法。
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
親油性物質及びアクリル酸またはメタクリル酸のポリマーを含むアジュバント組成物と、抗原とを含む、ワクチン組成物。
【請求項２】
親油性物質と、アクリル酸またはメタクリル酸のポリマーとを含むアジュバント組成物。
【請求項３】
前記親油性物質が、中鎖ＥＰトリグリセリド、中鎖トリグリセリドＮＦ、中鎖脂肪酸トリグリセリドＪＰＥ、カプリル酸／カプリン酸トリグリセリド及びそれらの組み合わせからなる群から選択される、請求項１または２に記載のワクチンまたはアジュバント組成物。
【請求項４】
前記親油性物質が、中鎖トリグリセリドを含む、請求項１または２に記載のワクチンまたはアジュバント組成物。
【請求項５】
前記アクリル酸またはメタクリル酸のポリマーがカルボマーである、請求項１または２に記載のワクチンまたはアジュバント組成物。
【請求項６】
ｉ）前記親油性物質がＬａｂｒａｆａｃ（商標）であるか；またはｉｉ）前記アクリル酸またはメタクリル酸のポリマーがＣａｒｂｏｐｏｌ（商標）である、請求項１または２に記載のワクチンまたはアジュバント組成物。
【請求項７】
前記アジュバント組成物が、生理食塩水、コレステロール、アルコール、サポニン、水酸化ナトリウム、及びこれらのいずれかの組み合わせからなる群から選択される少なくとも１つの成分を更に含む、請求項１または２に記載のワクチンまたはアジュバント組成物。
【請求項８】
ｉ）前記コレステロールが、植物性由来のコレステロールであるか；またはｉｉ）前記アルコールがエタノールであるか；またはｉｉｉ）前記サポニンがＱｕｉｌ−Ａである、請求項７に記載のワクチンまたはアジュバント組成物。
【請求項９】
前記親油性物質が約０．０１容積％〜約５容積％の量で存在するか；または前記アクリル酸またはメタクリル酸のポリマーが約０．１容積％〜約３容積％の量で存在する、請求項１または２に記載のワクチンまたはアジュバント組成物。
【請求項１０】
ｉ）前記コレステロールが約０．００１容積％〜約３容積％の量で存在するか；ｉｉ）前記アルコールが約０．０１容積％〜約３容積％の量で存在するか；またはｉｉｉ）前記サポニンが約０．００１容積％〜約０．５容積％の量で存在する、請求項７に記載のワクチンまたはアジュバント組成物。
【請求項１１】
ｉ）前記抗原が、タンパク質、ペプチド、多糖類、及びそれらのサブユニットからなる群から選択されるか；ｉｉ）前記抗原が核酸配列であるか；またはｉｉｉ）前記抗原がｉ）およびｉｉ）のものの組み合わせである、請求項１に記載のワクチン。
【請求項１２】
前記抗原が、抗原性部分をコードする改変ＤＮＡ配列である、請求項１に記載のワクチン。
【請求項１３】
前記改変ＤＮＡ配列が、ワクチン用の真核プラスミド骨格を更に含む、請求項１２に記載のワクチン。
【請求項１４】
前記抗原が、トリ抗原、ブタ抗原、ウシ抗原、ヒト抗原、イヌ抗原、ネコ抗原、サル抗原、ヤギ抗原、及びウマ抗原からなる群から選択される抗原から誘導される生成物である、請求項１に記載のワクチン。
【請求項１５】
無針、経皮、静脈内、腹腔内、筋肉内、及び皮下からなる群から選択される投与経路用に製剤化される、請求項１または２に記載のワクチンまたはアジュバント組成物。
【請求項１６】
請求項１に記載のワクチン組成物を必要とする動物に投与する工程を含む、動物へのワクチン接種方法。
【手続補正２】
【補正対象書類名】明細書
【補正対象項目名】００３９
【補正方法】変更
【補正の内容】
【００３９】
本開示のアジュバント組成物は、通常経皮吸収が困難である抗原を、レシピエントの皮膚または真皮から吸収させることが可能であるため、経皮送達に特に適している。本開示のアジュバントは、他のアジュバント組成物と比較して、皮膚経由の抗原の吸収を好ましくは０．００１％〜８０％高めることができる。
本開示の好ましい実施形態を以下に記載する：
［項１］
親油性物質及びアクリル酸またはメタクリル酸のポリマーを含むアジュバント組成物と、抗原とを含む、ワクチン組成物。
［項２］
前記アジュバント組成物が、親油性物質、アクリル酸またはメタクリル酸のポリマー、生理食塩水、コレステロール、アルコール、サポニン、水酸化ナトリウム、及びこれらのいずれかの組み合わせからなる群から選択される少なくとも１つの成分を更に含む、上記項１に記載のワクチン組成物。
［項３］
前記親油性物質が、中鎖トリグリセリドを有する、上記項１に記載のワクチン組成物。
［項４］
前記アクリル酸またはメタクリル酸のポリマーがカルボマーである、上記項１に記載のワクチン組成物。
［項５］
前記コレステロールが、植物性由来のコレステロールである、上記項２に記載のワクチン組成物。
［項６］
前記アルコールがエタノールである、上記項２に記載のワクチン組成物。
［項７］
前記サポニンがＱｕｉｌ−Ａである、上記項２に記載のワクチン組成物。
［項８］
前記ワクチン組成物が、無針、経皮、静脈内、腹腔内、筋肉内、及び皮下からなる群から選択される投与経路用に製剤化される、上記項１に記載のワクチン組成物。
［項９］
前記抗原がブタ抗原またはトリ抗原である、上記項１に記載のワクチン組成物。
［項１０］
前記抗原が、ＤＮＡ、ウイルス、及び細菌からなる群から選択される、上記項９に記載のワクチン組成物。
［項１１］
親油性物質と、アクリル酸またはメタクリル酸のポリマーとを含むアジュバント組成物。
［項１２］
親油性物質、アクリル酸またはメタクリル酸のポリマー、生理食塩水、コレステロール、アルコール、サポニン、水酸化ナトリウム、及びこれらのいずれかの組み合わせからなる群から選択される少なくとも１つの成分を更に含む、上記項１１に記載のアジュバント組成物。
［項１３］
前記親油性物質が、中鎖トリグリセリドを有する、上記項１１に記載のアジュバント組成物。
［項１４］
前記アクリル酸またはメタクリル酸のポリマーがカルボマーである、上記項１１に記載のアジュバント組成物。
［項１５］
前記コレステロールが、植物性由来のコレステロールである、上記項１２に記載のアジュバント組成物。
［項１６］
前記アルコールがエタノールである、上記項１２に記載のアジュバント組成物。
［項１７］
前記サポニンがＱｕｉｌ−Ａである、上記項１２に記載のアジュバント組成物。
［項１８］
前記アジュバント組成物が、無針、経皮、静脈内、腹腔内、筋肉内、及び皮下からなる群から選択される投与経路用に製剤化される、上記項１２に記載のアジュバント組成物。
［項１９］
上記項９に記載のワクチン組成物を必要とする動物に投与する工程を含む、動物へのワクチン接種方法。
［項２０］
無針投与のためのワクチン組成物を製剤化する工程を更に含む、上記項１９に記載の方法。
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
三次元の物体の製造方法において、前記物体の形状に対応する構成パターンで複数の層を連続して形成し、それによって、前記物体を形成する工程であって、
各層の前記形成が、少なくとも１つのインクジェット印刷ヘッドによって、少なくとも１つのモデリング材料配合物を分配することを含み、前記少なくとも１つのモデリング材料配合物が、開環メタセシス重合（ＲＯＭＰ）によって重合可能な不飽和環状モノマー及び前記モノマーのＲＯＭＰを開始させるための触媒を含む工程と、
前記モデリング材料配合物を、前記触媒によって前記モノマーのＲＯＭＰの開始を引き起こす条件に曝露し、それによって、硬化されたモデリング材料を得る工程と
を含んでなり、
前記触媒を曝露する前記工程の前に、前記モノマーのＲＯＭＰを開始させない、方法。
【請求項２】
前記少なくとも１つのモデリング材料配合物が、前記分配の際に前記インクジェット印刷ヘッドの温度で３５ｍＰａ・秒（３５センチポアズ）以下の粘度を特徴とする、請求項１に記載の方法。
【請求項３】
前記モデリング材料配合物は、前記触媒が、前記モノマーのＲＯＭＰを開始させることに対して活性を有し、前記曝露の前に、前記触媒及び前記モノマーが、前記モデリング材料配合物中で物理的に分離されるようになっており、前記条件には、前記触媒と前記モノマーとの間の前記物理的分離を解除することを含む、請求項１〜２のいずれか一項に記載の方法。
【請求項４】
前記モデリング材料配合物は、前記触媒が、前記モノマーのＲＯＭＰを開始させることに対して不活性であるようになっている、請求項１〜２のいずれか一項に記載の方法。
【請求項５】
前記触媒が、前記条件への曝露の際に活性化可能である、請求項４に記載の方法。
【請求項６】
前記配合物が、前記モノマーのＲＯＭＰを開始させることに対して前記触媒を化学的に活性化するための活性剤をさらに含み、前記曝露の前に、前記活性剤が、前記触媒を活性化することができない、請求項４に記載の方法。
【請求項７】
前記少なくとも１つのモデリング材料配合物が、非ＲＯＭＰ反応によって重合可能又は硬化可能な少なくとも１つの材料をさらに含んでなり、前記曝露が、前記少なくとも１つのモデリング材料配合物を、前記少なくとも１つの材料の重合又は硬化を引き起こす条件に曝露する工程をさらに含んでなる、請求項１〜６のいずれか一項に記載の方法。
【請求項８】
前記ＲＯＭＰによって重合可能な前記重合性材料及び前記不飽和環状モノマーが、同じモデリング材料配合物に含有される、請求項７に記載の方法。
【請求項９】
各層の前記形成が、少なくとも２つのインクジェット印刷ヘッドによって少なくとも２つのモデリング材料配合物を分配することを含み、各ヘッドが、前記少なくとも２つのモデリング材料配合物のうちの１つを噴射する、請求項７に記載の方法。
【請求項１０】
前記不飽和環状モノマーのＲＯＭＰを引き起こす前記条件及び非ＲＯＭＰ反応によって重合可能又は硬化可能な前記化学基又は材料の重合又は硬化を引き起こす前記条件が同じである、請求項７〜９のいずれか一項に記載の方法。
【請求項１１】
各層の前記形成が、少なくとも２つのインクジェット印刷ヘッドによって少なくとも２つのモデリング材料配合物を分配することを含み、各ヘッドが、前記少なくとも２つのモデリング材料配合物のうちの１つを噴射し、前記モデリング材料配合物の少なくとも２つが、独立して、ＲＯＭＰによって重合可能な前記不飽和環状モノマーを含んでなり、前記モデリング材料配合物の少なくとも１つが、前記触媒を含んでなる、請求項１〜２のいずれか一項に記載の方法。
【請求項１２】
前記触媒が、前記条件によって活性化可能であり、前記触媒が、活性剤によって活性化可能であり、前記モデリング材料配合物の少なくとも１つが、前記活性剤を含んでなり、前記触媒を含まない、請求項１１に記載の方法。
【請求項１３】
三次元インクジェット印刷のためのシステムにおいて、
複数の分離されたノズルをそれぞれが有する複数のインクジェット印刷ヘッドと、
前記トレイ上で三次元物体を印刷するなど、構築材料配合物の液滴を層状に分配するように前記インクジェット印刷ヘッドを制御するように構成されるコントローラと、
前記少なくとも１つの配合物が、硬化又は部分的に硬化された状態にありながら、前記層の少なくとも１つを整備するように構成される水平化デバイスと
を有する、システム。
【請求項１４】
前記インクジェット印刷ヘッドの少なくとも１つが、少なくとも２５℃であるが６５℃を超えない温度を維持するように構成される、請求項１３に記載のシステム。
【請求項１５】
前記複数のインクジェット印刷ヘッドを含むチャンバをさらに有し、前記チャンバが、前記チャンバの外側の環境に対してほぼ密閉されている、請求項１３〜１４のいずれか一項に記載のシステム。
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
少なくとも、
−  ジエンエラストマーと、
−  ５０ｐｈｒと１５０ｐｈｒとの間の補強充填剤と、
−  １０ｐｈｒより多く、かつ８０ｐｈｒ未満の植物油を含んでなる、２０ｐｈｒと１６０ｐｈｒとの間の可塑剤と、
−  ２ｐｈｒと４０ｐｈｒとの間の、アルカリ金属またはアルカリ土類金属の水溶性硫酸塩の微小粒子とを含んでなるゴム組成物。
【請求項２】
前記植物油が、アマニ油、ベニバナ油、ダイズ油、コーン油、綿実油、ターニップシード油、ヒマシ油、キリ油、パイン油、ヒマワリ油、パーム油、オリーブ油、ココナッツ油、落花生油、グレープシード油およびそれらの混合物からなる群から選択される、請求項１に記載のゴム組成物。
【請求項３】
前記微小粒子が、両方ともＩＳＯ規格１３３２０−１に従ってレーザー回折法によって測定され、かつ以下の関係：
−  ５０μｍ＜Ｄ５０＜１５０μｍ；
−  ０．５０＜スパン＜１．５０；
（式中、Ｄ５０は、体積粒径分布から得られる累積分布の５０％に対応する体積による中央粒径であり；
スパン＝（Ｄ９０−Ｄ１０）／Ｄ５０であり；かつ
Ｄ１０およびＤ９０は、それぞれ、累積粒子分布の１０体積％および９０体積％に対応する粒径である）を満たす、体積による中央粒径および体積粒径分布の幅を有する、請求項１または請求項２に記載のゴム組成物。
【請求項４】
前記アルカリ金属または前記アルカリ土類金属が、ナトリウム、カリウム、マグネシウム、カルシウムおよびそれらの混合物からなる群から選択される、請求項１〜３のいずれか一項に記載のゴム組成物。
【請求項５】
前記水溶性硫酸塩が、硫酸マグネシウム、硫酸カリウムおよびそれらの混合物からなる群から選択される、請求項１〜４のいずれか一項に記載のゴム組成物。
【請求項６】
前記ジエンエラストマーが、天然ゴム、合成ポリイソプレン、ポリブタジエン、ブタジエンコポリマー、イソプレンコポリマーおよびそれらの混合物からなる群から選択される、請求項１〜５のいずれか一項に記載のゴム組成物。
【請求項７】
前記補強充填剤が、７０ｐｈｒより多い補強無機充填剤を含んでなる、請求項１〜６のいずれか一項に記載のゴム組成物。
【請求項８】
前記可塑剤が、炭化水素樹脂、前記植物油以外の液体可塑剤およびそれらの混合物からなる群から選択される化合物をさらに含んでなる、請求項１〜７のいずれか一項に記載のゴム組成物。
【請求項９】
前記植物油以外の前記液体可塑剤の含有量が２０ｐｈｒ未満である、請求項８に記載のゴム組成物。
【請求項１０】
請求項１〜９のいずれか一項に記載の組成物を含んでなる、空気タイヤ用トレッド。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
式（Ｉ）の化合物、
【化１】
2017537157.tif 000001
［式中、
Ａは、フェニル、または、ＯおよびＮから選択される１もしくは２個のヘテロ原子を場合により含む、飽和もしくは不飽和の９もしくは１０員環であり；
Ｒ１は、Ｈ、ハロゲン、または−ＣＨ２ＯＨであり；
Ｒ２は、Ｈ、ハロゲン、Ｃ１〜４−アルキル、フルオロ−Ｃ１〜４−アルキルまたは−Ｃ≡Ｃ−Ｒ４であり；
Ｒ３は、Ｈ、ハロゲン、Ｃ１〜４−アルキル、Ｃ１〜４−アルコキシ、シアノまたはオキソであり；
Ｒ４は、Ｃ１〜４−アルキル、Ｃ３〜７−シクロアルキルまたはフェニルであり、ここで、フェニルは、Ｃ１〜４−アルキル、ハロゲン、Ｃ１〜４−アルコキシおよびシアノから独立に選択される１つまたはそれ以上の置換基により、場合により、置換されている］または薬学的に許容されるその塩。
【請求項２】
Ａは、フェニル、インドリルまたはジヒドロインドリルであり；
Ｒ１は、Ｈ、または−ＣＨ２ＯＨであり；
Ｒ２は、Ｈ、臭素、塩素、フッ素、Ｃ１〜４−アルキル、フルオロ−Ｃ１〜４−アルキルまたは−Ｃ≡Ｃ−Ｒ４であり；
Ｒ３は、Ｈ、臭素、塩素、フッ素、Ｃ１〜４−アルキル、Ｃ１〜４−アルコキシ、シアノまたはオキソであり；
Ｒ４は、Ｃ１〜４−アルキル、Ｃ３〜７−シクロアルキルまたはフェニルであり、ここで、フェニルは、Ｃ１〜４−アルキルにより、場合により、置換されている、
請求項１に記載の式（Ｉ）の化合物。
【請求項３】
Ａは、フェニル、インドリルまたはジヒドロインドリルであり；
Ｒ１はＨであり；
Ｒ２は塩素であり；
Ｒ３は、Ｈ、Ｃ１〜２−アルキル、Ｃ１〜２−アルコキシ、シアノまたはオキソである、
請求項１または２に記載の式（Ｉ）の化合物。
【請求項４】
Ａは、フェニルであり；
Ｒ１は、Ｈまたは−ＣＨ２ＯＨであり；
Ｒ２は、Ｈ、塩素、Ｃ１〜４−アルキル、またはフルオロ−Ｃ１〜４−アルキルであり；
Ｒ３は、Ｈ、Ｃ１〜２−アルキル、Ｃ１〜２−アルコキシ、シアノまたはオキソである、
請求項１〜３のいずれか１項に記載の式（Ｉ）の化合物。
【請求項５】
Ａはフェニルであり、Ｒ１はＨである、請求項１〜４のいずれか１項に記載の式（Ｉ）の化合物。
【請求項６】
Ａはインドリルまたはジヒドロインドリルであり、Ｒ１はＨである、請求項１〜４のいずれか１項に記載の式（Ｉ）の化合物。
【請求項７】
Ｒ２は塩素である、請求項１〜６のいずれか１項に記載の式（Ｉ）の化合物。
【請求項８】
２−（２−（４−クロロ−２−フェネトキシフェニル）エチルスルホンアミド）ベンゼンスルホンアミド、
２−（２−（４−クロロ−２−（２−メトキシフェネトキシ）フェニル）エチルスルホンアミド）ベンゼンスルホンアミド、
２−（２−（４−クロロ−２−（３−メトキシフェネトキシ）フェニル）エチルスルホンアミド）ベンゼンスルホンアミド、
２−（２−（４−クロロ−２−（４−メトキシフェネトキシ）フェニル）エチルスルホンアミド）ベンゼンスルホンアミド、
２−（２−（４−クロロ−２−（２−シアノフェネトキシ）フェニル）エチルスルホンアミド）ベンゼンスルホンアミド、
２−（２−（４−クロロ−２−（３−シアノフェネトキシ）フェニル）エチルスルホンアミド）ベンゼンスルホンアミド、
２−（２−（４−クロロ−２−（４−シアノフェネトキシ）フェニル）エチルスルホンアミド）ベンゼンスルホンアミド、
２−（２−（４−クロロ−２−（２−（１−メチル−１Ｈ−インドール−４−イル）エトキシ）フェニル）エチルスルホンアミド）ベンゼンスルホンアミド、
２−（２−（４−クロロ−２−（２−（２−オキソインドリン−４−イル）エトキシ）フェニル）エチルスルホンアミド）ベンゼンスルホンアミド、および
２−（２−（４−クロロ−２−フェネトキシフェニル）エチルスルホンアミド）−５−（ヒドロキシメチル）−ベンゼンスルホンアミド
から選択される化合物、または薬学的に許容されるその塩。
【請求項９】
治療における使用のための、請求項１〜８のいずれか１項に記載の式（Ｉ）の化合物、または薬学的に許容されるその塩。
【請求項１０】
疼痛の予防および／または治療における使用のための、請求項１〜８のいずれか１項に記載の式（Ｉ）の化合物、または薬学的に許容されるその塩。
【請求項１１】
急性もしくは慢性疼痛、侵害受容性疼痛または神経障害性疼痛の予防および／または治療における使用のための、請求項１〜８のいずれか１項に記載の式（Ｉ）の化合物、または薬学的に許容されるその塩。
【請求項１２】
がんの予防および／または治療における使用のための、請求項１〜８のいずれか１項に記載の式（Ｉ）の化合物、または薬学的に許容されるその塩。
【請求項１３】
炎症の予防および／または治療における使用のための、請求項１〜８のいずれか１項に記載の式（Ｉ）の化合物、または薬学的に許容されるその塩。
【請求項１４】
無呼吸、乳幼児突然死（ＳＩＤ）、アテローム性動脈硬化、動脈瘤、高熱、筋炎、アルツハイマー病または関節炎の予防および／または治療における使用のための、請求項１〜８のいずれか１項に記載の式（Ｉ）の化合物、または薬学的に許容されるその塩。
【請求項１５】
請求項１〜８のいずれか１項に記載の式（Ｉ）の化合物、または薬学的に許容されるその塩を、薬学的に許容される補助剤、希釈剤または担体と共に含む医薬組成物。
【請求項１６】
医薬組成物であって、
（ｉ）請求項１〜８のいずれか１項に記載の式（Ｉ）の化合物、または薬学的に許容されるその塩、
（ｉｉ）追加の治療薬、または薬学的に許容されるその塩、および
（ｉｉｉ）薬学的に許容される賦形剤、担体または希釈剤、
を含む前記医薬組成物。
【請求項１７】
追加の治療薬が、アセチルコリンエステラーゼ阻害薬、抗炎症薬、認知増強薬、記憶増強薬、および非定型抗精神病薬からなる群から選択される、請求項１６に記載の医薬組成物。
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2017537140.tif 000001
式中、
Ｒ１は、水素、Ｃ１−１０のアルキルまたはアシルを示し；
Ｒ２、Ｒ３、Ｒ４およびＲ５は、同一または異なっていてもよく、それぞれ、水素またはＣ１−４アルキルであるか、または、一緒になって、Ｒ２およびＲ４、または、Ｒ３およびＲ５の一対は、単結合を示し；
Ｒ６とＲ７は、同一または異なっていてもよく、それぞれ、水素、Ｃ１−４アルキルまたは、一緒になって、Ｒ４およびＲ６、または、Ｒ５およびＲ７の一対は、単結合を示し、または、Ｒ６およびＲ７が、一緒になって、以下の基を示す：
＝ＣＲ１１Ｒ１２；
ただし、Ｒ２、Ｒ３、Ｒ４およびＲ５からの一対が、単結合を示す場合、Ｒ４およびＲ６または、Ｒ５およびＲ７の一対は、単結合を示さない。
Ｒ８およびＲ９は、同一または異なっていてもよく、それぞれ、水素、Ｃ１−１０アルキル、アリール、アラルキル、ハロゲン、トリフルオロアルキル、シアノ、ニトロ、−ＮＲａＲｂ、−ＯＲａ、−Ｃ（Ｏ）Ｒａ、−Ｃ（Ｏ）ＯＲａ、−ＯＣ（Ｏ）Ｒａ、−Ｓ（Ｏ）ＲａＲｂ、および−Ｃ（Ｏ）ＮＲａＲｂを示す。
Ｒ１１およびＲ１２は、同一または異なっていてもよく、それぞれ、水素またはＣ１−１０アルキルを示し、そして、
ＲａおよびＲｂは、同一または異なっていてもよく、それぞれ、水素またはＣ１−１０アルキルを示し；
Ｒ１０は、基ＩＩ、ＩＩＩ、ＩＶ、Ｖ、ＶＩ、ＶＩＩ、ＶＩＩＩ、ＩＸ、ＸまたはＸＩを示す：
【化２−１】
2017537140.tif 000002
【化２−２】
2017537140.tif 000003
式中、Ｒ１３は、水素またはＣ１−１０アルキルを示す；
およびこれらの異性体；
フリー体または塩。
【請求項２】
−ＣＯ２Ｒ１３が、４位にある、請求項１に記載の化合物。
【請求項３】
−ＣＯ２Ｒ１３が、３位にある、請求項１に記載の化合物。
【請求項４】
３００〜４００ｎｍの波長を有する光に３日間暴露後、少なくとも６０重量％の化合物が、残存する、請求項１〜３のいずれか１つの請求項に記載の化合物。
【請求項５】
細胞分化またはアポトーシスの制御に使用するための、請求項１〜４のいずれか１つの請求項に記載の化合物。
【請求項６】
以下からなる群から選択される、請求項１に記載の化合物：
４−２−［４，４−ジメチル−１−（プロパン−２−イル）−１，２，３，４−テトラヒドロキノリン−６−イル］エチニル安息香酸（９）；そして、
６−（１，４，４−トリメチル−１，２，３，４−テトラヒドロキノリン−６−イル）−ナフタレン−２−カルボン酸メチルエステル（１１）；
３−［４−（１，４，４−トリメチル−１，２，３，４−テトラヒドロキノリン−６−イル）−フェニル］−アクリル酸メチルエステル（１３）；そして、
４−２−［２，４，４−トリメチル−１−（プロパン−２−イル）−１，４−ジヒドロキノリン−６−イル］エチニル安息香酸（１７）；
およびこれらの異性体；
フリー体または塩。
【請求項７】
少なくとも一つの分化細胞型への幹細胞の分化における、請求項１に記載の式Ｉの化合物の使用。
【請求項８】
レチノイド療法から利益を得る、疾患または状態の治療または予防における、請求項１に記載の式Ｉの化合物の使用。
【請求項９】
化合物が、化学療法剤または化学予防剤として作用する、請求項８に記載の使用。
【請求項１０】
化合物が、化学療法剤または化学予防剤として、皮膚、口腔、喉頭、肺、膀胱、外陰部、乳房、消化管のものを含む、前癌または癌性状態の治療または予防において、作用する、請求項９に記載の使用。
【請求項１１】
例えば、皮膚または神経細胞の増殖のような、細胞増殖の促進における、請求項１に記載の式Ｉの化合物の使用。
【請求項１２】
組織の健康と発展の促進、特に、皮膚、骨、神経、歯、髪、および／または、ヒトまたは動物の体の粘膜の健康と発展を促進する、請求項１に記載の式Ｉの化合物の使用。
【請求項１３】
請求項１に記載の式Ｉの化合物の有効量を投与し、そして、蛍光医用イメージングにより、化合物によって放出される蛍光を検出することを含む、細胞分化またはアポトーシスをモニターする方法。
【請求項１４】
化合物によって放出される蛍光を検出することによって、請求項１に記載の式Ｉの化合物の分布を画像化することによる、細胞分化またはアポトーシスをモニターする方法。
【請求項１５】
請求項１に記載の式Ｉの化合物から励起されたラマン散乱信号から計算された濃度マップと、請求項１３又は１４に従って、式Ｉを有する化合物によって放出される蛍光を、重ね合わせ（superimposing）て、エクスビボ、インビボで、または、インビトロで、請求項１に記載の式Ｉの化合物の濃度マップの作製を可能にする、方法。
【請求項１６】
１つ以上の薬学的に許容される賦形剤と組み合わせた、請求項１に記載の式Ｉの化合物を含む組成物。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
少なくとも
Ａ）油と、
Ｂ）以下の化合物ｉ）〜ｉｉｉ）
【化１】
2017537189.tif 000001
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより選択される）、
【化２】
2017537189.tif 000002
（化合物２について、Ｒ１はＯＨまたはＯ−Ｒより選択され、式中、Ｒがアルキルであり、Ｒ２、Ｒ３、Ｒ４、及びＲ５はそれぞれ独立して、Ｈ、アルキル、またはアルコキシより選択される）、
または
ｉｉｉ）化合物１および２の組み合わせ、
より選択される少なくとも１つの化合物と、を含む組成物であって、前記組成物が、アルコールを除きかつ上記化合物２以外の非芳香族極性化合物を１．０重量パーセント以下（前記組成物の重量に基づいて）含み、前記非芳香族化合物が１．００デバイ以上の双極子モーメントを有しており、
成分Ｂの少なくとも１つの化合物が、油の重量に基づいて、５〜２００ｐｐｍの量で存在する、組成物。
【請求項２】
前記油及び成分Ｂの少なくとも１つの化合物が、前記組成物の重量に基づいて、前記組成物の９９．０重量パーセント以上を構成する、請求項１に記載の組成物。
【請求項３】
前記成分Ｂの少なくとも１つの化合物が、以下の化合物
【化３】
2017537189.tif 000003
【化４】
2017537189.tif 000004
またはｄ）それらの組み合わせ、より選択される、請求項１または２に記載の組成物。
【手続補正２】
【補正対象書類名】明細書
【補正対象項目名】０１３９
【補正方法】変更
【補正の内容】
【０１３９】
シナリオ３
アジテータを使用して、圧力≧１００ＭＰａで動作される高圧反応器中の反応器内容物を混合する。アジテータは、モータ、へら付き撹拌シャフト、及び軸受アセンブリからなる。本明細書に記載されるような組成物を、≧５ｌｂｓ／時（例えば、２５ｌｂｓ／時）で、撹拌シャフト上の軸受ケーシングに継続的にポンプ注入する。本発明の組成物は、酸及び／またはエステル基（例えば、アクリル酸）を含有するコモノマーと密接に接触しており、これらの領域内のポリマー蓄積を防ぐ。軸受内のポリマー蓄積の低減に起因して、軸受寿命が増大する。
なお、本発明には、以下の実施形態が包含される。
［１］少なくとも
Ａ）油と、
Ｂ）以下の化合物ｉ）〜ｉｖ）
【化１８】
2017537189.tif 000005
（化合物１について、Ｒ１、Ｒ２、Ｒ３、Ｒ４、Ｒ５、Ｒ６、Ｒ７、及びＲ８はそれぞれ独立して、Ｈ、アルキル、またはアルコキシより選択される）、
【化１９】
2017537189.tif 000006
（化合物２について、Ｒ１はＯＨまたはＯ−Ｒより選択され、式中、Ｒがアルキルであり、Ｒ２、Ｒ３、Ｒ４、及びＲ５はそれぞれ独立して、Ｈ、アルキル、またはアルコキシより選択される）、
【化２０】
2017537189.tif 000007
（化合物３について、Ｒ１、Ｒ２、Ｒ４、及びＲ５はそれぞれ独立して、Ｈ、アルキル、またはアルコキシより選択され、Ｒ３はＨまたはアルキルより選択される）、または
ｉｖ）化合物１〜３のうちの２つ以上の組み合わせ、
より選択される少なくとも１つの化合物と、を含む組成物であって、前記組成物が、アルコールを除きかつ上記化合物２以外の非芳香族極性化合物を１．０重量パーセント以下（前記組成物の重量に基づいて）含み、前記非芳香族化合物が１．００デバイ以上の双極子モーメントを有する、組成物。
［２］前記化合物が、前記油の重量に基づいて、５〜６０，０００ｐｐｍの量で存在する、［１］に記載の組成物。
［３］前記油及び化合物が、前記組成物の重量に基づいて、前記組成物の９９．０重量パーセント以上を構成する、［１］または［２］に記載の組成物。
［４］前記化合物が、以下の化合物ａ）〜ｄ）、
【化２１】
2017537189.tif 000008
【化２２】
2017537189.tif 000009
【化２３】
2017537189.tif 000010
またはｄ）それらの組み合わせ、より選択される、［１］〜［３］のいずれか一項に記載の組成物。
［５］エチレン系インターポリマーを調製するためのプロセスであって、前記プロセスが、エチレンと酸及び／またはエステル基を含有する少なくとも１つのコモノマーとを含む混合物を、１００ＭＰａ以上の圧力で、少なくとも１つのフリーラジカル開始剤の存在下で、かつ少なくとも１つの反応器と、以下
ａ）往復運動装置、
ｂ）回転装置、
ｃ）またはそれらの組み合わせ、
より選択される少なくとも１つの構成要素と、を含む反応器系内で、重合することを含み、請求項１〜４のいずれか一項に記載の組成物が、前記少なくとも１つの構成要素に注入される、プロセス。
［６］前記重合の間、前記組成物が前記少なくとも１つの構成要素に継続的に注入される、［５］に記載のプロセス。
［７］前記コモノマーが、アクリル酸、エチレンアクリレート、またはそれらの組み合わせより選択される、［５］または［６］に記載のプロセス。
［８］エチレンと酸及び／またはエステル基を含有する少なくとも１つのコモノマーとを含む混合物の重合において使用される往復運動装置及び／または回転装置内のポリマー蓄積を低減するためのプロセスであって、［１］〜［４］のいずれか一項に記載の組成物を前記往復運動装置及び／または回転装置に注入することを含む、プロセス。
［９］前記重合の間、前記組成物が前記往復運動装置及び／または回転装置に継続的に注入される、［８］に記載のプロセス。
［１０］前記コモノマーが、アクリル酸、エチレンアクリレート、またはそれらの組み合わせより選択される、［８］または［９］に記載のプロセス。